(57)【要約】脊柱支持具は、左アームの接合具が、右アームの接合具からある距離だけ離れているように、右骨盤の骨の前方を支持する接合具を具える１の右アームと、左骨盤の骨の前方を支持する接合具を具える１の左アームとを具える。【選択図】図１
2010502354.tif 000002
【特許請求の範囲】
【請求項１】
脊柱支持具において：
ｉ）右骨盤の骨の前方を支持する接合具を具える１の右アームと、
ｉｉ）左骨盤の骨の前方を支持する接合具を具える１の左アームと、
を具え、前記左アームの前記接合具が、前記右アームの前記接合具からある距離だけ離れていることを特徴とする脊柱支持具。
【請求項２】
請求項１に記載の脊柱支持具が：
前記脊柱の後方を押圧するよう構成されている１の後方脊柱支持具を具えることを特徴とする脊柱支持具。
【請求項３】
請求項２に記載の脊柱支持具において、
前記１の右骨盤の前記接合具、及び
前記１の左骨盤の前記接合具のうちの少なくとも一方が、
前記１の後方脊柱支持具に対して調節可能に延在していることを特徴とする脊柱支持具。
【請求項４】
請求項２に記載の脊柱支持具において、
前記１の右アーム、及び
前記１の左アームのうちの少なくとも一方が、
前記１の後方脊柱支持具の縦軸に対して少なくとも２つの角度を成すように調節可能であることを特徴とする脊柱支持具。
【請求項５】
請求項２に記載の脊柱支持具が、前記前方の左アームと前記前方の右アームの間に延在する配列バンドを具えることを特徴とする脊柱支持具。
【請求項６】
請求項１に記載の脊柱支持具において、前記１の右アーム及び前記１の左アームが、少なくとも１の弾性アーム支持具を具えることを特徴とする脊柱支持具。
【請求項７】
請求項１に記載の脊柱支持具が、少なくとも１の取り外し可能なカバーを具えることを特徴とする脊柱支持具。
【請求項８】
脊柱支持具において：
ｉ）１の後方脊柱支持具であって、
ａ）少なくとも１の脊椎を押圧するよう構成された１の上側パッド部材と；
ｂ）前記少なくとも１の脊椎より下側を押圧するよう構成された１の下側パッド部材と、を具える１の後方脊柱支持具と；
ｉｉ）骨盤の一部を囲むように構成され、前記脊柱支持具に取り付けられた湾曲部材と；
を具えることを特徴とする脊柱支持具。
【請求項９】
請求項８に記載の脊柱支持具において、前記１の後方脊柱支持具が、少なくとも２つの圧力レベルで脊柱の後方を押圧すべく調節されるよう構成されていることを特徴とする脊柱支持具。
【請求項１０】
請求項８に記載の脊柱支持具において、
前記１の上側パッド部材、及び
前記１の下側パッド部材のうちの少なくとも一方が、
前記湾曲部材に対して位置的に調節可能であることを特徴とする脊柱支持具。
【請求項１１】
請求項１０に記載の脊柱支持具において、
前記１の後方脊柱支持具が剛性の支持体を具えており；
前記１の上側パッド部材が、前記剛性の支持体の少なくとも一部を支持する圧縮性部材に対して並置されていることを特徴とする脊柱支持具。
【請求項１２】
請求項１１に記載の脊柱支持具において、
前記圧縮性部材が、
つる巻きバネ、及び
可撓性のバンドのうちの少なくとも一方を具えることを特徴とする脊柱支持具。
【請求項１３】
請求項１１に記載の脊柱支持具において、前記１の上側パッド部材の一部が、前記１の下側パッド部材の一部に回転可能に連結されていることを特徴とする脊柱支持具。
【請求項１４】
請求項１１に記載の脊柱支持具において、前記１の上側パッド部材の一部が、前記１の下側パッド部材の一部に弾性的に連結されていることを特徴とする脊柱支持具。
【請求項１５】
脊柱支持具において：
ｉ）右骨盤の骨の少なくとも一部の周りに実質的に前方へ延在する１の右アームと；
ｉｉ）左骨盤の骨の少なくとも一部の周りに実質的に前方へ延在する１の左アームと；を具える１の後方脊柱支持具から実質的に前方へ延在する２つの伸長するアームを具えることを特徴とする脊柱支持具。
【請求項１６】
請求項１５に記載の脊柱支持具において、前記１の右アーム及び前記１の左アームのうちの少なくとも一方が、骨盤の骨の前部を支持する接合具を具えることを特徴とする脊柱支持具。
【請求項１７】
請求項１５に記載の脊柱支持具において、前記１の右アーム及び前記１の左アームが、それぞれ、前記右骨盤の骨及び左骨盤の骨の前方を支持する接合具を具えることを特徴とする脊柱支持具。
【請求項１８】
請求項１７に記載の脊柱支持具において、
前記１の右骨盤の前記接合具、及び
前記１の左骨盤の前記接合具のうちの少なくとも一方が、
前記１の後方脊柱支持具に対して調節可能に延在していることを特徴とする脊柱支持具。
【請求項１９】
請求項１５に記載の脊柱支持具において、
前記１の右アーム、及び
前記１の左アームのうちの少なくとも一方が、
前記１の後方脊柱支持具に対して調節可能に延在することを特徴とする脊柱支持具。
【請求項２０】
骨盤を固定する脊柱支持具を作る方法において：
ｉ．脊柱の一部を支持するように構成された後部パッドを作るステップと；
ｉｉ．前記後部パッドから前方へ右アームを延在させて、骨盤の前方に対して前記右アームの一部を支持するステップと；
ｉｉｉ．前記後部パッドから前方へ左アームを延在させて、前記骨盤の前方に対して前記右アームの一部を支持するステップと；
を具えることを特徴とする方法。
【請求項２１】
請求項２０に記載の方法が：
右骨盤の骨の少なくとも一部の周りに前記右アームを湾曲させるステップと；
左骨盤の骨の少なくとも一部の周りに前記左アームを湾曲させるステップと；
前記後部パッドによって前記脊柱の一部に対して第１の圧力が提供されるステップと；を具えることを特徴とする方法。
【請求項２２】
請求項２１に記載の方法が、前記後部パッドによって前記脊柱の一部に対して第２の圧力がかけられるように前記右アーム及び前記左アームの湾曲を調整するステップを具えることを特徴とする方法。
【請求項２３】
脊柱の一部を支持する方法であって、当該方法が：
ｉ．パッド部材から延在する２つの湾曲したアームを提供するステップと；
ｉｉ．前記２つの湾曲したアームの第１のアームの端部を右骨盤の前方に対して押圧するステップと；
ｉｉｉ．前記２つの湾曲したアームの第２のアームの端部を左骨盤の前方に対して押圧するステップと；
ｉｖ．前記パッド部材で前記脊柱の一部を支持するステップと；
を具えることを特徴とする方法。
【請求項２４】
請求項２３に記載の方法が：
ｖ．前記右骨盤の前方に対して前記第１のアームの端部を支持するステップと；
ｖｉ．前記右骨盤の前方に対して前記第１のアームの端部を支持するステップと；
を具えることを特徴とする方法。
【請求項２５】
請求項２４に記載の方法が：
ｖｉｉ．前記パッド部材に対して前記２つの湾曲したアームの少なくとも一方の延在部を調節するステップを具えることを特徴とする方法。
【発明の詳細な説明】
【技術分野】
【０００１】
本出願は、２００６年９月７日に出願された米国仮特許出願ナンバー６０／８４２，６６３；及び２００７年２月２０日に出願された６０／９０２，０４７の優先権を主張しており、これらの全体の内容は、本書に完全に説明しているものとして参照によって組み込んでいる。
【０００２】
本発明は、腰背部を支持するよう構成されたブレース器具に関し、特に、本発明は、骨盤部分を固定し、１又はそれ以上の腰椎を支持するおよび／または整列させるよう構成された器具に関する。
【０００３】
人にとって、腰痛はかなり一般的であり、しばしば１又はそれ以上の脊椎のずれによって起こる。
【背景技術】
【０００４】
腰部を囲んで、１又はそれ以上の腰椎を前方へ押すベルトを具える腰背部の支持具が知られている。腰椎を前方へ押すことによって、脊椎は骨盤に正確に整列するよう促される。脊椎を正確に配置することによって、腰痛が軽減される。
【０００５】
ベルトを具える腰背部の支持具の実施例は、米国特許５，０８６，７５９（Ｂｕｄｄｉｎｇｈ）及び５，５５１，０８５（Ｌｅｉｇｈｔｏｎ）並びに国際特許ＷＯ２００４０３７１３５（Ｗｅａｖｅｒ）に示されている。
【発明の概要】
【０００６】
本発明の一態様に従って、左アームの接合具が、右アームの接合具からある距離だけ離れるように、右骨盤の骨の前方を支持する接合具を具える１の右アームと、左骨盤の骨の前方を支持する接合具を具える１の左アームとを具える脊柱支持具が提供される。
【０００７】
実施例において、脊柱支持具が脊柱の後方を押圧するよう構成されている１の後方脊柱支持具を具える。
【０００８】
実施例において、１の右骨盤の接合具及び１の左骨盤の接合具のうちの少なくとも一方が、１の後方脊柱支持具に対して調節可能に延在している。
【０００９】
実施例において、１の右アーム及び１の左アームのうちの少なくとも一方が、１の後方脊柱支持具の縦軸に対して少なくとも２つの角度を成すように調節可能である。
【００１０】
実施例において、脊柱支持具が、前方の左アームと前方の右アームの間に延在する配列バンドを具える。
【００１１】
実施例において、配列バンドの少なくとも一部が弾性部材を具える。
【００１２】
実施例において、配列バンドが、左アーム及び右アームのうちの少なくとも一方に取り外し可能に取り付けられる。
【００１３】
実施例において、１の右アーム及び１の左アームが、少なくとも１の弾性アーム支持具を具える。
【００１４】
実施例において、脊柱支持具が、少なくとも１の第１の取り外し可能なカバー及び少なくとも１の第２の取り外し可能なカバーを具える、少なくとも２つの取り外し可能なカバーを具え、少なくとも２つの取り外し可能なアームカバーが：
ｉ）第１の色を有する少なくとも１の第１の取り外し可能なカバー及び第２の色を有する少なくとも１の第２の取り外し可能なカバー；並びに
ｉｉ）第１の圧縮レベルを有する少なくとも１の第１の取り外し可能なカバー及び第２の圧縮レベルを有する少なくとも１の第２の取り外し可能なカバー、のうちの少なくとも一方を具える。
【００１５】
本発明の別の態様に従って、少なくとも１の脊椎を押圧するよう構成された１の上側パッド部材及び少なくとも１の脊椎より下側を押圧するよう構成された１の下側パッド部材を具える１の後方脊柱支持具と、骨盤の一部を囲むように構成され、脊柱支持具に取り付けられた湾曲部材とを具える脊柱支持具が提供される。
【００１６】
実施例において、１の後方脊柱支持具が、少なくとも２つの圧力レベルで脊柱の後方を押圧すべく調節されるよう構成されている。
【００１７】
実施例において、１の上側パッド部材及び１の下側パッド部材のうちの少なくとも一方が、湾曲部材に対して位置的に調節可能である。
【００１８】
実施例において、１の後方脊柱支持具が剛性の支持体を具えており、１の上側パッド部材が、剛性の支持体の少なくとも一部を支持する圧縮性部材に対して並置されている。
【００１９】
実施例において、圧縮性部材が、つる巻きバネ、及び可撓性のバンドのうちの少なくとも一方を具える。
【００２０】
実施例において、１の上側パッド部材の一部が、１の下側パッド部材の一部に回転可能に連結されている。
【００２１】
実施例において、１の上側パッド部材の一部が、１の下側パッド部材の一部に弾性的に連結されている。
【００２２】
本発明のさらなる態様に従って、右骨盤の骨の少なくとも一部の周りに実質的に前方へ延在する１の右アームと、左骨盤の骨の少なくとも一部の周りに実質的に前方へ延在する１の左アームとを具える１の後方脊柱支持具から実質的に前方へ延在する２つの伸長するアームを具える脊柱支持具が提供される。
【００２３】
実施例において、１の左アームが、左骨盤の骨の前方を支持する接合具を具える。
【００２４】
実施例において、１の右アームが、右骨盤の骨の前方を支持する接合具を具える。
【００２５】
実施例において、１の右アーム及び１の左アームがそれぞれ、右骨盤の骨及び左骨盤の骨の前方を支持する接合具を具える
【００２６】
実施例において、１の右骨盤の接合具、１の左骨盤の接合具のうちの少なくとも一方が、１の後方脊柱支持具に対して調節可能に延在する。
【００２７】
実施例において、１の右アーム及び１の左アームのうちの少なくとも一方が、１の後方脊柱支持具に対して調節可能に延在する。
【００２８】
本発明のさらに別の態様に従って、脊柱の一部を支持するように構成された後部パッドを作るステップと、後部パッドから前方へ右アームを延在させて、骨盤の前方に対して右アームの一部を支持するステップと、後部パッドから前方へ左アームを延在させて、骨盤の前方に対して左アームの一部を支持するステップとを具える骨盤を固定する脊柱支持具を作る方法が提供される。
【００２９】
実施例において、方法が、右骨盤の骨の少なくとも一部の周りに右アームを湾曲させるステップと、左骨盤の骨の少なくとも一部の周りに左アームを湾曲させるステップと、後部パッドによって脊柱の一部に対して第１の圧力が提供されるステップとを具える。
【００３０】
実施例において、方法が、後部パッドによって脊柱の一部に対して第２の圧力がかけられるように右アーム及び左アームの湾曲を調整するステップを具える。
【００３１】
本発明のさらに別の態様に従って、脊柱の一部を支持する方法が提供され、当該方法が、パッド部材から延在する２つの湾曲したアームを提供するステップと、２つの湾曲したアームの第１のアームの端部を右骨盤の前方に対して押圧するステップと、２つの湾曲したアームの第２のアームの端部を左骨盤の前方に対して押圧するステップと、パッド部材で脊柱の一部を支持するステップとを具える。
【００３２】
実施例において、方法が、右骨盤の前方に対して第１のアームの端部を支持するステップと、右骨盤の前方に対して第１のアームの端部を支持するステップとを具える。
【００３３】
実施例において、方法が、パッド部材に対して２つの湾曲したアームの少なくとも一方の延在部を調節するステップを具える。
【００３４】
他に規定されていない限り、本書に用いられる全ての技術的な及び科学的な用語は、本発明が属する当業者によって一般的に理解される意味と同じである。本発明の実施又は試験において、本書に記載されている方法及び材料と同じ又は均等のものを用いることができるが、好適な方法及び材料が以下に記述されている。競合する場合、本発明の明細書は、定義を含めて調整される。さらに、材料、方法、及び実施例は、例示のみを意図しており、限定することを意図するものではない。
【図面の簡単な説明】
【００３５】
本発明は、添付図面を参照して、例示として本書に記述している。次に、図面を参照して詳細な言及がなされており、図示されている事項は、例示として本発明の好適な実施例を説明することのみを目的として、本発明の原理及び概念的見地の記述を最も有用に且つ容易に理解すると思われるものを提供するために示されていることを強調する。この点について、本発明の根本的な理解に必要とされる以上に詳細な、本発明の構造の詳細を示す試みはしておらず、図面とともに得られる記述によって、本発明のいくつかの形式がどのように実際に具体化されうるかを当業者にとって明らかにしている。
【図１】図１は、本発明の実施例に従って、骨盤の概略図に合わせて配置された骨盤固定装具である。
【図２】図２は、本発明の実施例に従って、脊椎の概略図に合わせて配置された図１の骨盤固定装具に関連する脊柱支持具の側面図である。
【図３】図３は、本発明の実施例に従って、側部アームの位置調節を示す図１の骨盤固定装具の背面図である。
【図４】図４は、本発明の実施例に従って、人を概略的に示した図３の骨盤固定装具の正面図である。
【図５】図５は、本発明の実施例に従って、図１の骨盤固定装具の分解図である。
【図６】図６は、本発明の実施例に従って、図１の骨盤固定装具の想像図である。
【図７】図７は、本発明の実施例に従って、人を概略的に示した図６の骨盤固定装具の側面図である。
【図８】図８は、本発明の実施例に従って、図１の骨盤固定装具の想像図である。
【図９】図９は、本発明の実施例に従って、図１の骨盤固定装具の想像図である。
【図１０】図１０Ａ乃至１０Ｃは、本発明の実施例に従って、図１の骨盤固定装具のアームの断面図である。
【図１１】図１１は、ユーザが装着した図１及び２に示された骨盤固定装具の説明写真である。
【図１２】図１２は、ユーザが装着した図１及び２に示された骨盤固定装具の説明写真である。
【図１３】図１３は、ユーザが装着した図１及び２に示された骨盤固定装具の説明写真である。
【発明を実施するための形態】
【００３６】
本発明の実施例は、骨盤部に対して第１の端部で固定するアームを具える背中用の装具であり、アームの第２の端部に取り付けられたパッドが、１又はそれ以上の腰椎を前方に押圧しつつ、これによって、腰椎の配列の修正を補助する。
【００３７】
本発明による骨盤固定装具の原理及び動作は、図面に関連する記述を参照してより良く理解されうる。
【００３８】
本発明の少なくとも一実施例を詳細に説明する前に、本発明は、以下の記述に説明される又は図面に示された構成部材の構造及び配置の詳細に関するその適用例に限定されるものではないことが理解されるべきである。本発明は、他の実施例にするか、様々な方法で実施又は実行されることも可能である。さらに、本書で使用される表現や用語は、説明を目的としており、限定として考慮されるべきではないことを理解されたい。
【００３９】
次に、図面を参照して、図１は、腰椎２６２及び恥骨結合２４０について示されている骨盤固定装具１００である。
【００４０】
骨盤固定装具１００は、脊柱支持具２００から前方へ延在している右アーム２０５及び左アーム２０４を具える。右アーム２０５及び左アーム２０４はそれぞれ、右骨盤部２３３及び左骨盤部２３２を囲むように前方に湾曲している。
【００４１】
右アーム２０５の前部は、右前骨盤部２２３を少なくとも部分的に支持する右骨盤接合具２４３を具える。左アーム２０４の前部は、左前骨盤部２２２を少なくとも部分的に支持する左骨盤接合具２４２を具える。
【００４２】
右アーム２０５及び左アーム２０４は、脊柱支持具２００を腰椎２６２に対して前方向３８１に引っ張るように機能し、これによって、腰椎２６２と骨盤部２３２及び２３３の間の配列を矯正する。実施例において、骨盤固定装具１００は、腰椎２６２と骨盤部２３２及び２３３の間のずれに伴う痛みを軽減する。
【００４３】
図２は、脊柱支持具２００の側部部分断面図であり、下側パッド部材２０３を具えており、この少なくとも一部は、下側支持体３１４に取り付けられている。脊柱支持具２００は、さらに、上側パッド部材２０１を具えており、この少なくとも一部は、上側支持体３１３に取り付けられている。
【００４４】
下側支持体３１４及び上側支持体３１３は、連結具３０２で可撓性を有して連結されている。選択的に、連結具３０２は、ある方向２０７における上側パッド部材２０１の弾力的な動きを可能にする弾性部材を具える。
【００４５】
実施例において、連結具３０２は、下側支持体３１４と上側支持体３１３の間に圧縮性バットレス３０５を有する回転可能な連結具を具える。バットレス３０５は、上側パッド部材２０１を腰椎２６２に向けて方向２０７に押圧するよう動作する。
【００４６】
圧縮性バットレス３０５は、例えば、シリコーンゴム又はバルーンの一部を具えても良い。
【００４７】
他の実施例において、圧縮性バットレス３０５は、選択的に、バネ、様々な形状、材料、及び大きさを有する可撓性のある湾曲部材（図示せず）を具える。例えば、バットレス３０５は、「ｕ」字形の平坦な弾性部材又は「ｓ」字経の平坦な弾性部材当業者によく知られている圧縮性バットレス３０５のための様々な形状を具えても良い。
【００４８】
さらなる実施例において、圧縮性バットレス３０５は、選択的に、バネ荷重ピストンおよび／または空気式部材（図示せず）を具えても良い。
【００４９】
さらなる実施例において、上側パッド部材２０１および／または下側パッド部材２０３はそれぞれ、支持体３１３及び３１４に可動に連結されており、上方向３４１又は下方向３４２に摺動する。代替的な実施例において、上側パッド部材２０１と支持体３１３、および／または下側パッド部材２０３と支持体３１４の間の連結は、ユーザが上側パッド部材２０１及び下側パッド部材２０３を交換可能であるように、フック及びループ材料を具えてもよい。
【００５０】
さらなる実施例において、バットレス３０５は旋回連結具を具えており、上側パッド部材２０１をバットレス３０５を通る縦軸に沿って左右に旋回可能とする。同様に、下側パッド部材２０３が、左右に可動の旋回連結具によって支持体３１４に連結されてもよい。
【００５１】
さらに、下側パッド部材２０３および／または上側パッド部材２０１の形状、大きさ、及び数は、例えば、ユーザの必要条件に合わせて変えてもよい。例えば、特に繊細な脊椎２６２を有するユーザは、３個の各セットが湾曲して配列された状態の３個の上側パッド部材２０１および／または下側パッド部材２０３を必要としてもよい。
【００５２】
代替的に、ユーザが快適であるように、上側パッド部材２０１および／または下側パッド部材２０３は、脊柱支持具２００の縦軸周りに湾曲した個別のパッドを具える。
【００５３】
さらなる実施例において、上側パッド部材２０１および／または下側パッド部材２０３は、ユーザの快適さを改良するために、脊柱支持具２００の横軸周りに湾曲していてもよい。
【００５４】
選択的に、骨盤固定装具１００は、様々な形状、大きさ、および／または圧縮性を有する様々な交換可能なパッド部材２０１及び２０３を具えるキットを具える。ユーザおよび／または熟練の提供者が、ユーザに最も快適なパッド部材２０１および／または２０３を適合させる。
【００５５】
図３は、方向３０５に回転軸３２４及び３２５を中心に回転する側部アーム２０４及び２０５を示す骨盤固定装具１００の背面図である。実施例において、各アーム２０４及び２０５を通る縦方向の軸３６７は、脊柱支持具２００の縦軸３６９に対して上および／または下の垂直位置にあって、これにより、骨盤固定装具１００を比較的小さな空間で収納できるよう小型化可能としてもよい。
【００５６】
図４は、人２７０を概略的に示した骨盤固定装具１００の正面図であり、アーム２０４及び２０５は上方向３１９に回動されて、アーム２０４及び２０５は、骨盤部２３２及び２３３の上になる。
【００５７】
非限定的な実施例において、人２７０は、骨盤部２３２と２３３の間に十分なスペースを有する。アーム２０４及び２０５が、実質的に水平に、且つ実質的に骨盤部２３２及び２３３の上に配置された場合、ユーザは、アーム２０４及び２０５が隣接する軟組織を骨盤部２３２及び２３３へ押圧することを認識することができる。
【００５８】
図５は、骨盤固定装具１００の分解図であり、左骨盤接合具２４２と右骨盤接合具２４３の配列を維持するよう機能する配列バンド３９１を示す。配列バンド３９１は、任意に、左連結具３１２に取り付ける左タブ３５２及び右連結具３５３に取り付ける右タブ３４３を具える中央の伸縮可能部３１５を具える。
【００５９】
実施例において、タブ３５２及び３４３と連結具３１２及び３５３の間の連結具は、クリップ、スナップ、バックル、ボルト及びナット、フックおよび／またはフック・ループ連結具；当業者によく知られたタブ３５２及び３４３と連結具３１２及び３５３の間の連結を提供するための様々な選択物を具えても良い。
【００６０】
さらに、骨盤固定装具１００は、アーム２０４及び２０５がモジュール式であり、アーム２０４及び２０５の長さおよび／または湾曲を変える手段がキットに包含されていても良いことを説明する。
【００６１】
この方法では、ユーザが、骨盤固定装具１００を適合させようとするとき、キットに設けられているアーム２０４及び２０５の異なる構成が、ユーザを確実に快適にするよう交換可能である。さらに、アーム２０４及び２０５、脊柱支持具２００、および／または配列バンド３９１は、ユーザに骨盤固定装具１００の使用を促すために、きれいな美的効果を提供するよう設計および／または色付けされてもよい。
【００６２】
図６に示すように、交換可能なアーム２０４及び２０５に関連して、ユーザは、骨盤部２３２と２３３の間の比較的短いスペースを有して存在する。非限定的な実施例では、それぞれが小さな半径を有するアーム２０４及び２０５は、任意に、それぞれがより長い弧を有するアーム２０４’及び２０５’に交換される。
【００６３】
アーム２０４及び２０５の交換可能な大きさに加えて、より厚さのある骨盤接合具２４２及び２４３、より長い配列バンド３９１、および／またはより長い回転軸３２４及び３２５を含む様々な大きさの部材を交換するために多くの選択物があり、骨盤固定装具１００を様々な人の体格における小、中、又は大の骨盤の骨２３２及び２３３に快適に適合可能とする。
【００６４】
さらなる実施例において、アーム２０４及び２０５は、脊柱支持具２００から延在するアーム２０４及び２０５の長さを調節可能とすべく回転軸３２４及び３２５に摺動するよう取り付けられる。
【００６５】
図７は、人２７０の概略側面図を示しており、骨盤固定装具１００は、支持面３５５に実質的に平行な縦軸３６７を有する長い弧のアーム２０４’を設けている。例えば、長い弧のアーム２０４’は、長い弧のアーム２０４’と右骨盤部２３３の間の軟組織を刺激せずに、右骨盤部２３３を越えて直接通過するよう十分に長い弧を具える。
【００６６】
図８は、さらに、骨盤固定装具１００の任意の調節機能を示しており、右骨盤接合具２４３及び左骨盤接合具２４２は、アーム２０４及び２０５それぞれに関連して調節方向３３５に調節可能に動く。
【００６７】
さらなる実施例において、右アーム２０５及び左アーム２０４がそれぞれ、回転軸３２４及び３２５に対して方向３３５に内及び外へ動くように示されており、これによって、脊柱支持具２００に対するアーム２０４及び２０５の延在距離を変化させる。
【００６８】
図９は、右アーム２０５が、右水平旋回具３６５において方向３０４に旋回する一方、左アーム２０４が、左水平旋回具３６４において方向３０４に旋回して、ユーザにとってさらに快適で調節可能とする一実施例を示す。
【００６９】
実施例において、右水平旋回具３６５及び左水平旋回具３６４は、脊柱支持具２００に対して特定の位置に固定可能である。この方法では、アーム２０４及び２０５は、骨盤接合具２４２及び２４３を前方の骨盤部２２２及び２２３に対して後方向３８７に移動させ、これによって、脊柱支持具２００を腰椎２６２に対して前方向３８１に動かして、腰椎２６２に対してより大きな、整列がもたらす圧力を提供する。
【００７０】
さらなる実施例において、右水平旋回具３６５及び左水平旋回具３６４は、アーム２０４及び２０５を後方に振ることができるようにし、ユーザは、脊柱支持具２００を適所に簡単に配置して、アーム２０４及び２０５を前方に振る。この方法では、骨盤固定装具１００は、ユーザが簡単に骨盤固定装具１００を装着できるようにする。さらに、アーム２０４及び２０５は、簡単に取り外し可能であるように選択的に後方に振るようにしても良い。
【００７１】
さらなる実施例において、アーム２０４及び２０５は、弾性部材を具え、例えば、前の骨盤接合具２４２及び２４３を脊柱支持具２００により近くにするように曲げることによって調節されても良い。
【００７２】
図１０Ａ乃至１０Ｃは、アーム２０４の様々な構成を示す。図１０Ａは、弾性部材のほぼ矩形断面を具えるアーム２０４を示す。
【００７３】
図１０Ｂは、前側支持体３８８及び後側支持体３８４を具えるアーム２０４を示しており、後側支持体３８４は、弾性アーム支持具３８２の輪郭に実質的に従う。
【００７４】
選択的に、前側支持体３８８および／または後側支持体３８４は、弾性アーム支持具３８２に取り外し可能に連結されても良い。
【００７５】
実施例において、様々な色で、多数の取り外し可能に連結された前側支持体３８８および／または後側支持体３８４はキットで提供され、ユーザが、第１の色の前側支持体３８８を第２の色の前側支持体に交換できるようにしても良い。この方法では、骨盤固定装具１００が、ユーザの衣服の外側で装着されるとき、ユーザは、様々な衣服の色に合わせるように骨盤固定装具１００を構成するよう選択可能である。
【００７６】
さらなる実施例において、多数の取り外し可能に連結された前側支持体３８８および／または後側支持体３８４は、圧縮性材料を具え、それぞれが異なる圧縮性を有する。様々な前側支持体３８８および／または後側支持体３８４を切り換えることによって、ユーザは、骨盤固定装具１００が骨盤接合具２４２及び２４３を押圧する圧力を変え、これによって、アーム２０４及び２０５によって提供される快適度合いに影響を与える。
【００７７】
弾性アーム支持具３８２は、ほぼ半円の断面形状を有する。
【００７８】
図１０Ｃにおいて、後側支持体３８４は、弾性アーム支持具３８９間にスペース３９８を有する。
【００７９】
弾性アーム支持具３８９は、ほぼ円形の断面であるように示されているが、アーム支持具３８９は、様々な断面形状：三角形、矩形、又は任意の多角形のうちの任意の一つを有するようにできる。
【００８０】
実施例において、弾性アーム支持具３８２（図１０Ｂ）及び３８９（図１０Ｃ）、並びにアーム２０４及び２０５（図９）は、ニチノール、ステンレス鋼形状記憶材料、金属、合成生物学的安定性ポリマー、天然ポリマー、チタン、熱分解カーボン、炭素強化材料及びプラスチックから構成されるグループから選択される材料で作られる。
【００８１】
実施例において、上側パッド部材２０１、下側パッド部材２０３、左骨盤接合具２４２および／または右骨盤接合具２４３、（図１）は、シリコーンゴム（例えば、米国ミシガン州ミッドランドのＤｏｗ−Ｃｏｒｎｉｎｇ ＣｏｒｐｏｒａｔｉｏｎによるＳｉｌａｓｔｉｃ）、熱硬化性材料、又はポリエステル（エステルイミド）、（例えば、米国カンザス州ウィチタのＩｎｖｉｓｔａによるＤａｃｒｏｎ（登録商標））および／またはこれらの組合せで作られる。代替的に、上側パッド部材２０１、下側パッド部材２０３、左骨盤接合具２４２および／または右骨盤接合具２４３は、スポンジ、発泡体材料、及び様々な圧縮性材料のうちの任意の一つから作られる。
【００８２】
患者の一生の中で、多くの適切な支持材料が開発されることが期待され、背中用の装具および／または骨盤固定装具の言葉の範囲は、演繹的にこのような新しい技術全てを含んでいることが意図されている。
【００８３】
本書において使用する言葉「約」は、±１０％をいう。
【００８４】
実施例
次に、以下の実施例についての言及が成されており、上記記述とともに、本発明を非限定的な態様において説明している。
【００８５】
図１１は、ユーザが装着した骨盤固定装具１００の一実施例の正面図である。
【００８６】
図１２は、図１１に示した骨盤固定装具１００の実施例の側面図である。
【００８７】
図１３は、図１２に示した脊柱支持具２００の側面図の詳細を示す。
【００８８】
上記ユーザは、図１１乃至１３に図示した骨盤固定装具１００の実施例を装着し、腰背部の痛みを実質的に緩和されている。
【００８９】
さらに、本発明者は、特定の場合において、骨盤固定装具１００は、骨盤固定装具１００が、適所において実質的に固定され、例えば呼吸の際に腹部の半径方向外側への膨張によって実質的に影響を受けずに骨盤部２３２及び２３３を固定するという点で、概要に述べたように、腰背部の支持具以上のいくつかの利点があることを発見した。
【００９０】
注目すべき比較において、米国特許５，０８６，７５９（Ｂｕｄｄｉｎｇｈ）及び５，５５１，０８５（Ｌｅｉｇｈｔｏｎ）並びに国際特許ＷＯ２００４０３７１３５（Ｗｅａｖｅｒ）は、ユーザの腹部を完全に囲んで、呼吸、食べる際の外方への半径方向の変化、および／または姿勢の変化によって影響を受けるベルトを構成する。
【００９１】
腹部を囲む背中用の支持具は、腹部が膨張する、例えば食後のときに位置を変え続け、これによって、これらの位置及び脊椎２６２かかる圧力は変化してしまい、これは、ユーザの快適さおよび／または脊柱治療を害してしまう。
【００９２】
明瞭にするために、個別の実施例の文章中に記載されている本発明の特定の特性は、単一の実施例の組合せにおいても提供されうることが理解される。逆に、簡潔にするために単一の実施例の文章中に記載している本発明の様々な特性は、個別に、又は任意の好適な副次的な組合せにおいて提供されても良い。
【００９３】
本発明は、この特定の実施例と共に記述されているが、多くの代替物、修正、及び改良が当業者にとって理解されることは明らかである。従って、本発明は、以下のクレームの意図及び広い範囲内にある全てのこのような代替物、修正、及び変更を包含している。
【００９４】
本明細書中に述べられているすべての刊行物、特許及び特許出願はこれらの全体を、各個別の刊行物、特許及び特許出願が参照によって本書に組み込まれて明確に及び個別に指示されているかのように同程度に、本書において明細書中への参照によって組み込んでいる。さらに、本出願における任意の参照文献の引用又は同定は、このような参照文献が本発明に対する従来技術として利用可能であるという承認として解釈されるべきではない。
【図１】
2010502354.tif 000003
【図２】
2010502354.tif 000004
【図３】
2010502354.tif 000005
【図４】
2010502354.tif 000006
【図５】
2010502354.tif 000007
【図６】
2010502354.tif 000008
【図７】
2010502354.tif 000009
【図８】
2010502354.tif 000010
【図９】
2010502354.tif 000011
【図１０Ａ】
2010502354.tif 000012
【図１０Ｂ】
2010502354.tif 000013
【図１０Ｃ】
2010502354.tif 000014
【図１１】
2010502354.tif 000015
【図１２】
2010502354.tif 000016
【図１３】
2010502354.tif 000017
【国際調査報告】
2010502354.tif 000018
2010502354.tif 000019
2010502354.tif 000020
2010502354.tif 000021